(57)【要約】【課題】  頭髪に悩む多くの人の原因は様々だが治療可能な人で共通して言える課題が２つある。１つは毛穴に溜まる角栓様物質の除去。もう１つは発毛剤を頭皮に塗っても皮下組織までの浸透が手の行為では困難なこと。【解決手段】  本考案は洗浄剤、発毛剤等の溶液をスポンヂ質のアタッチメントに含ませ超音波のソニック波を発生する振動部をカバーする様に装着した事である。手の動きでは不可能な事をソニック波の力で角栓様物質も乳化、除去し、発毛剤も皮下組織の細胞まで浸透し、活性を促す。ソニック波本来の乳化、洗浄作用と溶液の薬効作用が相乗効果を生じる。【選択図】図２
0003128461.tif 000002
【実用新案登録請求の範囲】
【請求項１】
本考案は超音波のソニック波を発生させる振動部に溶液を含ませたスポンヂ質の接触部（以降アタッチメントと記す）をカバーする様に取り付けた事です。目的は従来、頭皮毛根部の毛穴に溜まる角栓様物質の除去は、手洗いでは大変難しい事、又発毛剤を頭皮にすり込む事は表皮は塗れても深く浸透は難しい事。この２点を解決する為のもので本考案の場合、洗浄ではソニック波の働きで細部まで、洗浄効果を発揮し毛穴の角栓様物質の除去が可能。又発毛剤を塗る場合もソニック波の働きで表皮から真皮へと深く浸透して、毛乳頭、毛母細胞を活性化させる。発毛を的確かつ、強力に促進させる事を目的とした発毛促進器。
【考案の詳細な説明】
【技術分野】
【０００１】  本考案は超音波のソニック波を活用して頭髪毛根の毛穴に溜まる角栓様物質を乳化して除去する事と、発毛剤等の薬液を頭皮の表皮から深く浸透して毛乳頭や毛母細胞を活性化させ発毛を促進させる事を目的とした事。
【背景技術】
【０００２】  従来、美顔用として超音波の振動部を直に肌にあてる方式は見られたが、アタッチメントカバーのものは無く、特に頭皮、頭髪用に関するものは一切無い。
【考案の開示】
【考案が解決しようとする課題】
【０００３】  手洗いでの洗髪では毛根の毛穴に溜まる頑固な角栓様物質を除去する事は困難といわれます。又毛発剤を塗っても表皮から真皮、皮下組織迄浸透させる事は同様に難しいといわれます。すり込みの摩擦は場合によっては肌を傷付け、抜毛、脱毛の原因となる。
【課題が解決するための手段】
【０００４】  本考案は課題解決の為に超音波を利用し、かつ超音波の振動部をカバーする様にスポンヂ質のアタッチメントを付けた事です。このアタッチメントには用途に応じた溶液を浸み込ませて使用するので水分を媒体としたソニック波の働きが強力になります。通常、水分媒体時の威力は、無水分と比較し、４倍といわれます。従って洗浄力、浸透力は増して、課題解力の力となる。
【考案の効果】
【０００５】  アタッチメントを付けた超音波の働きにより、手洗いでは困難な頑固な角栓様物質も容易に除去される。また、発毛剤をすり込む作業も超音波の浸透力は洗浄力、同様、高く、頭皮、頭髪へのダメージも無い。
【考案を実施するための最良の形態】
【実施例】
【０００６】  図３は用途に応じた溶液を入れた容器を納めた溶液容器収納ケースです。この容器の中には各々スポンヂ質のアタッチメントが液を含んで入っている。実施は用途に応じたアタッチメントを図１、図２の様に本体に装着する。スイッチ、オンするとソニック波が振動部からアタッチメントを経由して頭皮に伝達され洗浄力、浸透力等の効力を生じる。使い方は頭皮に軽く、あてる程度で良い。防水タイプなので浴室内外で使用が可能。
【産業上の利用可能性】
【０００７】  頭髪関連事業は発毛、育毛、養毛、植毛、かつら業に至るまで多岐にわたる。美容室、理髪店、整髪料の化粧品メーカー、洗髪料の洗剤メーカー、医薬品メーカー等々利用可能性は多大です。最も必要としているのは老若男女を問わず頭髪に悩む一般人です。多くの人の悩み解消となり手助けとなる。
【図面の簡単な説明】
【０００８】
【図１】超音波発毛促進器本体正面図
【図２】同上本体側面図
【図３】溶液容器収納ケース及び拡大図
【符号の説明】
【０００９】１．ソニック波振動部
２．スポンヂ質アタッチメント
３．本体握り部
４．溶液容器
５．溶液
６．溶液容器収納ケース
【図１】
0003128461.tif 000003
【図２】
0003128461.tif 000004
【図３】
0003128461.tif 000005
【手続補正書】
【提出日】平成18年5月31日(2006.5.31)
【手続補正１】
【補正対象書類名】実用新案登録請求の範囲
【補正対象項目名】全文
【補正方法】変更
【補正の内容】
【実用新案登録請求の範囲】
【請求項１】
水を媒体とした超音波の効果は既に証明済みである。本考案は洗浄剤、発毛剤等の溶液をアタッチメントに含み、その溶液を媒体として超音波のソニック波を活用し、頭皮脂や毛穴の角栓様物質を乳化、除去し、又皮下組織へ薬効を浸透させ、細胞を活性させ、発毛を促進させる超音波発毛促進器。構成は溶液を含ませるアタッチメントには内機は高分子吸収機の様に高吸収性で高密度の溶
0003128461.tif 000006
なり、このアタッチメントはソニック波を発生させる振動部をカバーする様に装着するもので、本体固定の一体型でなく着脱が容易なはめ込み型です。用途に応じて溶液を含むアタッチメントを交換して装着することを特徴とした超音波発毛促進器。
【手続補正２】
【補正対象書類名】明細書
【補正対象項目名】０００４
【補正方法】変更
【補正の内容】
【０００４】  本考案は水を媒体とした超音波効果を活用し、超音波発生の振動部をカバーする様にスポンヂ質のアタッチメントを装着する事である。このアタッチメントに洗浄剤、発毛剤等の溶液を含ませ、溶液を媒体としてソニック液を作動する。溶液を媒体とする為、ソニック波が効率良く伝達され、洗浄では毛穴の角栓様物質を乳化、除去し、発毛剤では表皮から皮下組織の細胞まで浸透し、活性を促し、課題解決の大きな力となる。減衰実験の結果は良好で洗浄効果が見られた。こらはスポンヂ質が高密度の溶液を含有する効果である。ソニック波の伝達係数は試験器具が不備にて数値化、出来ず。
【手続補正書】
【提出日】平成18年8月10日(2006.8.10)
【手続補正１】
【補正対象書類名】実用新案登録請求の範囲
【補正対象項目名】全文
【補正方法】変更
【補正の内容】
【実用新案登録請求の範囲】
【請求項１】
充電式で完全防水の超音波発生器において
（イ）把手（３）の前部にはスイッチ部を設け端部にはヘッド装着部（２）が設けてある。
（ロ）ヘッド装着部（２）にはソニック波を発生させる振動部（１）を設け前記振動部（１）には取り外し可能なスポンジ質アタッチメント（２−２）がもうけてある。
（ハ）ヘッド装着部（２）のソニック波振動部（１）を溶液（５）が入った溶液容器（４）に浸す構造になっている。
以上の構成からなる充電式で完全防水の超音波発生器。
【手続補正２】
【補正対象書類名】図面
【補正対象項目名】全図
【補正方法】変更
【補正の内容】
【図１】
0003128461.tif 000007
【図２】
0003128461.tif 000008
【図３】
0003128461.tif 000009
【手続補正書】
【提出日】平成18年10月11日(2006.10.11)
【手続補正１】
【補正対象書類名】実用新案登録請求の範囲
【補正対象項目名】全文
【補正方法】変更
【補正の内容】
【実用新案登録請求の範囲】
【請求項１】
充電式で完全防水の超音波発毛促進器において
（イ）把手（１−３）の前部には操作用スイッチが設けてあり、端部には取り外し可能なスポンジ質アタッチメント（２−２）を装着する装着部（２−１）がある。
（ロ）この装着部（２−１）は同時にソニック波、発生の振動部（２−１）でもある。要するに振動部（２−１）を着脱可能なスポンジ質アタッチメント（２−２）で被覆して使う仕組みである。
（ハ）スポンジ質アタッチメント（２−２）をソニック波振動部（２−１）から、はずし、スポンジ質アタッチメント（２−２）のみを溶器（３−５）が入った溶液容器（３−４）に浸す構造になっている。
以上の構成からなる充電式で完全防水の超音波発毛促進器。